(57)【要約】【課題】平面状の状態から簡単に組立てることができ、なおかつ外観的にも優れた折り畳みパラソルを提案するものである。【解決手段】互いに点対称な平面形状を有する第１のパラソル片（２）と、第２のパラソル片（３）から構成される折り畳みパラソルであって、各パラソル片は、中心角が１５０°以上１７５°以下の扇形形状を有し、各パラソル片は、扇形の一方の辺に、第１のフラップ（４）が、扇形の他方の辺に、前記第１のフラップよりも大きくて、組立用爪部（６）を有する第２のフラップ（５）がそれぞれ折罫線を介して延設されており、一方のパラソル片の第１のフラップと、他方のパラソル片の第２のフラップをそれぞれ折罫線で内側に折り曲げて互いに対向させ、２つのパラソル片の扇形面が段差なくつながり、かつ前記組立用爪部が露出するように、対向した前記それぞれのフラップを、固着したことを特徴とする折り畳みパラソルである。【選択図】図１
2015097617.tif 000002
【特許請求の範囲】
【請求項１】
互いに点対称な平面形状を有する第１のパラソル片と、第２のパラソル片から構成される折り畳みパラソルであって、
各パラソル片は、中心角が１５０°以上１７５°以下の扇形形状を有し、
各パラソル片は、扇形の一方の辺に、第１のフラップが折罫線を介して延設されており、扇形の他方の辺に、前記第１のフラップよりも大きくて、組立用爪部を有する第２のフラップが折罫線を介して延設されており、
一方のパラソル片の第１のフラップと、他方のパラソル片の第２のフラップをそれぞれ折罫線で内側に折り曲げて互いに対向させ、
２つのパラソル片の扇形面が段差なくつながり、かつ前記組立用爪部が露出するように、対向した前記それぞれのフラップを、固着したことを特徴とする折り畳みパラソル。
【請求項２】
扇形の中心点から円弧に向って放射状に広がり、扇形の中心角を整数等分する複数の放射状折罫線を有することを特徴とする請求項１に記載の折り畳みパラソル。
【請求項３】
前記放射状折罫線または前記フラップの折罫線によって区画される各小円弧の、２辺を構成する折罫線が扇形の円弧と交わる２点を結び、中心点に向って湾曲した湾曲罫線を有することを特徴とする請求項２に記載の折り畳みパラソル。
【発明の詳細な説明】
【技術分野】
【０００１】
本発明は、平面状に折り畳めるパラソルに関し、携帯用の雨傘としてだけでなく、店頭における装飾品としても用いることができる折畳式のパラソルに関する。
【背景技術】
【０００２】
急な雨降りに対応できる携帯用の小型の笠として、特許文献１に記載された組立式簡易笠が知られている。この組立式簡易笠は、特許請求の範囲に記載の通り、「折り曲げ可能な板状体を少なくとも人の頭部を覆う大きさに形成した本体部と、前記本体部の外周部に設けられ、同外周部における一部および同一部とは異なる他の一部の少なくとも一方を他方に寄せることにより前記本体部の少なくとも一部を略錐状または略円蓋状に変形させるための折目、切れ目およびミシン目のうちの少なくとも１つからなる変形導引部とを備え、前記変形導引部は、前記外周部における前記一部および前記他の一部の少なくとも一方を他方に寄せたとき、前記本体部の内側にて把持可能な支持片を前記一部および前記他の一部の少なくとも一方を前記本体部の内側に突出させて形成することを特徴とする組立式簡易笠。」である。
【０００３】
特許文献１に記載された組立式簡易笠は、円形の板状体を縦横に折ることによってコンパクトに持運びができ、使用する時には、広げて変形導引部を引寄せることで、笠状に形成されるものである。
【先行技術文献】
【特許文献】
【０００４】
【特許文献１】特許第４２７４３８６号公報
【発明の概要】
【発明が解決しようとする課題】
【０００５】
特許文献１に記載された組立式簡易笠は、急な降雨に対応する目的で、作られたものであり、コンパクトな携帯性と組立ての簡易性を最重要視したものであるため、外観的には、必ずしも満足のいくものではない。
【０００６】
本発明が解決しようとする課題は、平面状の状態から簡単に組立てることができ、なおかつ外観的にも優れた折り畳みパラソルを提案するものである。
【課題を解決するための手段】
【０００７】
上記の課題を解決するための手段として、請求項１に記載の発明は、互いに点対称な平面形状を有する第１のパラソル片と、第２のパラソル片から構成される折り畳みパラソルであって、各パラソル片は、中心角が１５０°以上１７５°以下の扇形形状を有し、各パラソル片は、扇形の一方の辺に、第１のフラップが折罫線を介して延設されており、扇形の他方の辺に、前記第１のフラップよりも大きくて、組立用爪部を有する第２のフラップが折罫線を介して延設されており、一方のパラソル片の第１のフラップと、他方のパラソル片の第２のフラップをそれぞれ折罫線で内側に折り曲げて互いに対向させ、２つのパラソル片の扇形面が段差なくつながり、かつ前記組立用爪部が露出するように、対向した前記それぞれのフラップを、固着したことを特徴とする折り畳みパラソルである。
【０００８】
本発明に係る折り畳みパラソルは、中心角が１５０°以上１７５°以下の扇形形状のパラソル片を２枚、点対称に組合わせたので、平らに折り畳んで持運びが可能であり、使用する時には、簡単にパラソルとして最適な形状に組立てることができる。
【０００９】
また、請求項２に記載の発明は、扇形の中心点から円弧に向って放射状に広がり、扇形の中心角を整数等分する複数の放射状折罫線を有することを特徴とする請求項１に記載の折り畳みパラソルである。
【００１０】
また、請求項３に記載の発明は、前記放射状折罫線または前記フラップの折罫線によって区画される各小円弧の、２辺を構成する折罫線が扇形の円弧と交わる２点を結び、中心点に向って湾曲した湾曲罫線を有することを特徴とする請求項２に記載の折り畳みパラソルである。
【発明の効果】
【００１１】
本発明に係る折り畳みパラソルは、互いに点対称の２つのパラソル片から構成されているので、一つの抜き型によって製造することができる。これは二つの抜き型を必要とする場合に較べて、抜き型のコストが半分になることを意味する。
【００１２】
また、大きさの異なる２つのフラップを対向させて固着するようにしたので、大きいフラップに設けた組立用爪部を互いに噛合わせることによって、簡単に組立てることができる。
【００１３】
また、それぞれのパラソル片は、中心角が１５０°以上１７５°以下であるため、パラソルに組立てた時に、尖りすぎず、また平らすぎず、パラソルとして最適な形状となる。
【００１４】
請求項２に記載の発明のように、中心角を整数等分する複数の放射状折罫線を設けた場合には、パラソルの形状が、骨を持った実際の傘のような形状となり、デザイン的に優れたものとなる。
【００１５】
請求項３に記載の発明のように、各小円弧の先端部分に、中心点に向って湾曲した湾曲罫線を設けた場合には、湾曲罫線よりも先端の部分が縁飾りになると共に、この罫線が湾曲していることにより、パラソルの形状が一意的に決定され、パラソル片が補強される効果を発揮する。
【図面の簡単な説明】
【００１６】
【図１】図１は、本発明に係る折り畳みパラソルの一実施例を示した平面模式図であり、パラソルを折り畳んだ状態を示したものである。
【図２】図２は、図１に示した折り畳みパラソルを展開して組み立てた状態を示した斜視図である。
【図３】図３は、図２の折り畳みパラソルを裏側から見た状態を示した斜視図である。
【図４】図４は、図１〜３に示した折り畳みパラソルの平面ブランクを示した平面模式図である。
【図５】図５は、図１に示した折り畳みパラソルを展開して組み立てる手順を示した斜視説明図である。
【発明を実施するための形態】
【００１７】
以下図面を参照しながら、本発明に係る折り畳みパラソルについて詳細に説明する。
本発明に係る折り畳みパラソルは、図４に示したように、互いに点対称な平面形状を有す
る第１のパラソル片（２）と、第２のパラソル片（３）とから構成される。なお図４は、ブランクを表面側から見た状態を示している。
【００１８】
ブランクの材質としては、厚紙やプラスチックシートを用いることができる。厚紙の場合には、表面に印刷、着色を施し、さらに防水性のコーティングまたはフィルムのラミネートを施してもよい。プラスチックシートの場合には、もともと防水性があるので、印刷、着色だけでも良い。なお、屋内で装飾用として用いる場合には、防水対策は不要である場合もある。
【００１９】
各パラソル片（２、３）は、中心角（θ）が１５０°以上１７５°以下の扇形形状を有する。また、各パラソル片は、扇形の一方の辺に、第１のフラップ（４）が折罫線（７ｂ、７ｄ）を介して延設されている。扇形の他方の辺には、第１のフラップ（４）よりも大きくて、組立用爪部（６）を有する第２のフラップ（５）が折罫線（７ａ、７ｃ）を介して延設されている。
【００２０】
中心角（θ）が、１５０°未満であると、パラソルに組み立てた時に、形状が尖りすぎてしまい、パラソルとして覆う面積が小さくなってしまう。また中心角（θ）が１７５°より大きい場合には、形状が平坦になり、例えば雨の排出性が悪くなる。中心角がこの範囲であると、形状的にも、また機能的にもバランスのとれたものとすることができる。
【００２１】
図１〜５に示した例では、それぞれのパラソル片に、扇形の中心点から円弧に向って放射状に広がり、扇形の中心角を４等分する３本の放射状折罫線（８ａ〜８ｆ）が設けられている。また、放射状折罫線またはフラップの折罫線によって区画される各小円弧（１０）の、２辺を構成する折罫線が扇形の円弧と交わる２点を結び、中心点に向って湾曲した湾曲罫線（９）が設けられている。湾曲罫線（９）の先端部分は、縁飾り（１１）となっている。
【００２２】
このように、放射状折罫線と、湾曲罫線を設けることにより、パラソルを組み立てた時に、パラソルの形状が自動的に一意的に決定されるため、パラソル全体がしっかりして丈夫になる。
【００２３】
折り畳みパラソルを成形するには、第１のパラソル片（２）の第１のフラップ（４）と、第２のパラソル片（３）の第２のフラップ（５）をそれぞれ折罫線（７ｂ、７ｃ）で内側に折り曲げて互いに対向させ、同様に、第１のパラソル片（２）の第２のフラップ（５）と、第２のパラソル片（３）の第１のフラップ（４）をそれぞれ折罫線（７ａ、７ｄ）で内側に折り曲げて互いに対向させ、それぞれ２つのパラソル片の扇形面が段差なくつながり、かつ組立用爪部（６）が露出するように、対向したそれぞれのフラップを、固着することにより、折り畳みパラソル（１）が完成する。
【００２４】
完成した折り畳みパラソル（１）を展開して組み立てるには、図５（１）に示したように、まず一方のパラソル片を開き、図５（２）に示したように、それぞれのパラソル片の第２のフラップ同士を引き寄せ、組立用爪部（６）同士を噛み合せる。この例では最後に各湾曲罫線（９）を折り込んで、縁飾り（１１）を立てることにより、折り畳みパラソルの組み立てが完了する。
【００２５】
組み立てたパラソルは、第２のフラップが噛み合って重なった部分を例えばクリップのようなもので挟むことにより、さらに形状保持性が高まる。
【００２６】
本発明に係る折り畳みパラソルは、図１に示したように、平らに折り畳んで収納することができ、使用時には、簡単な操作で組み立てることができる。また、放射状折罫線や、
湾曲罫線を付加した場合には、形状的にも、強度的にもさらに優れたものとすることができる。
【符号の説明】
【００２７】
１・・・折り畳みパラソル
２・・・第１のパラソル片
３・・・第２のパラソル片
４・・・第１のフラップ
５・・・第２のフラップ
６・・・組立用爪部
７ａ〜７ｄ・・・折罫線
８ａ〜８ｆ・・・放射状折罫線
９・・・湾曲罫線
１０・・・小円弧
１１・・・縁飾り
θ・・・中心角
【図１】
2015097617.tif 000003
【図２】
2015097617.tif 000004
【図３】
2015097617.tif 000005
【図４】
2015097617.tif 000006
【図５】
2015097617.tif 000007